(57)【特許請求の範囲】
【請求項１】
Ｈｏ2Ｏ3と顔料もしくは染料等の色材が混合して含有することを特徴とする偽造防止用インキ。
【請求項２】
基材上に上記請求項１に記載の偽造防止用インキを印刷したことを特徴とする偽造防止印刷物。
【請求項３】
前記Ｈｏ2Ｏ3と顔料もしくは染料等の色材が混合して含有するインキと同色のインキを作製し、基材上に両者を印刷したことを特徴とする請求項２記載の偽造防止印刷物。
【請求項４】
請求項２または３記載の印刷物に自然光源と特定波長の光強度が強い光源を照射した際、両者の発色が異なることを利用したことを特徴とする印刷物の偽造防止方法。
【発明の詳細な説明】
【０００１】
【発明の属する技術分野】
本発明は、複写機などによる複製を防止するための偽造防止用インキおよび偽造防止印刷物とこの偽造防止印刷物と偽造印刷物の真偽判定方法に関する。
【０００２】
【従来の技術】
近年、電子写真技術を利用した複写機が普及し、これを利用して誰でも簡単に紙などに印刷された文字や画像を複写することができるようになった。特に、最近のカラーデジタル複写機によれば、原稿か複写物か見分けが極めて困難な複写物でさえも容易に作成することができる。
【０００３】
一般的なカラーデジタル複写機の原理は、原稿に光を照射し、反射光をＣＣＤラインセンサで検知する。ＣＣＤラインセンサでは、反射光の強度に応じたデジタル信号を生成し、複写機内のメモリに送信する。この読み取り過程をレッド（Ｒ）、グリーン（Ｇ）、ブルー（Ｂ）の３色について行い、それぞれの場合のデジタル信号をメモリに格納する。次に格納されたデジタル信号に基づいて、レーザ光を感光体ドラムの表面に照射し、イエロー（Ｙ）、マゼンタ（Ｍ）、シアン（Ｃ）、ブラック（Ｂｋ）のトナーを感光体ドラムの上に順次静電吸着し、これらのトナーを順次紙などのシート上に転写して定着させる。これにより、カラーの画像が形成された精巧な複写物を得ることができる。
【０００４】
かかるカラー複写は便利である反面、このために株券、債券、約束手形、小切手などの有価証券や、入場券、搭乗券などの印刷物などが容易に偽造されるという問題が増加しつつある。このため、容易に複写できないように印刷物に複製防止対策を施す提案が種々なされている。
【０００５】
カラー複写による複写物の色が原稿の色と異なるようにする技術が提案されている。例えば原稿とされうる有価証券などに非常に淡い色で着色すると、複写物では淡い色の部分が正確に再現できない。また、原稿に大きさの異なる網点を形成しておくと複写しても小さい網点の再現性が悪化する。さらにカラー複写機のトナーにない色である緑、紫、橙、金、銀等を印刷することで複写物の色の再現性が悪化する。また、人間の視認度が低い領域例えば３８０ｎｍ〜４５０ｎｍおよび６５０〜７８０ｎｍあたりの波長域に特徴をもたせた２種類のインキを用いることで見た目には同色であるが、カラー複写機での複写物は異なる色に再現する。
【０００６】
しかし、カラー複写機では、３色に分解されてメモリに格納されたデジタルデータを変更することによって、出力する色を補正することが可能である。また、カラー複写機と同様の原理を利用してカラースキャナーで読み込んだデジタルデータをコンピュータで補正し、カラープリンタまたはカラー複写機で出力するようなデジタルプレスが普及しつつある。従って、現在多少の手間をかければ、原稿の色を精巧に再現することが可能であり、上記のような技術では偽造を完全に防止することはできない。
【０００７】
また、カラー複写機では再現不可能な特殊部分を有価証券などに設けておく技術も提案されている。このうち、ホログラム箔などのＯＶＤ箔を有価証券などの表面上に設ける技術はすでに実用化されている。これによれば、ホログラムの銀面が光を鏡面反射するため、ＣＣＤラインセンサに反射光が入射せず、原稿で銀面だった部分が複写物では黒色に再現される。また、屈折率の異なるセラミックを適当な膜厚を持つ複数層に積層すると、見る角度によって色が変化する特殊な光学薄膜が形成される。かかる性質は、複写物では得ることができないので、容易に真偽判定が可能である。さらに、この方法で形成された薄膜を細かく砕き、破片をインキに混入して印刷を行う方法も提案されている。
【０００８】
しかしながら、これらの技術では、ホログラム箔やセラミック膜を蒸着やスパッタリングのようなドライコーティングで形成する必要がある、工程が複雑化する上、製造コストが極めて高いという問題がある。
【０００９】
さらに、可視光線の下では識別できない部分を有価証券などに設けておく技術も提案されている。例えば、赤外線吸収色素を原稿に印刷しておくと、市販されている複写機およびプリンタのトナーには赤外線吸収能力はないので、複写物はその印刷を再現することはできない。従って赤外線を利用した検証機によって真偽判断が可能である。また、紫外線の照射によって蛍光を発する蛍光体で原稿に印刷して置いた場合にも、市販されている複写機およびプリンタではそのような蛍光機能を再現できない。従ってブラックライトを照射すると、本物は発光するが、偽造品は発光せず、容易に真偽判断が可能である。このほかにも様々な提案がされている。
【００１０】
しかし、これらの技術では特殊な波長の光源が必要となる。また、その波長における真偽判断が可能なように検証機を製造しなければならない場合もある。このため、真偽判断に用いるシステムのうちハードウエアのコストが高くなってしまう。
【００１１】
また、特開平１０−２７８４６０号公報にランタノイド系希土類化合物を用いた複写防止物品を開示しているが、真偽判定が煩雑であり、顔料の色素が淡いため判別に困難を要する。また、色相が化合物特有の色しか表現できないためカラーバリエーションの点からも使用が制限されていた。
【００１２】
【発明が解決しようとする課題】
本発明は上記事情を考慮してなされたものであり、市販のカラー複写機などでは偽造が極めて困難であり、かつ廉価で製造することが可能であり、真正品と偽造品を簡単な装置を用いて明確に判別することができ、かつ種々のカラーバリエーションを備えた偽造防止用インキおよび偽造防止印刷物を提供することを目的とする。
【００１３】
【課題を解決するための手段】
上記目的を達成するためになされたもので、
請求項１記載の発明は、Ｈｏ2Ｏ3と顔料もしくは染料等の色材が混合して含有することを特徴とする偽造防止用インキである。
【００１６】
また請求項２記載の発明は、基材上に上記請求項１に記載の偽造防止用インキを印刷したことを特徴とする偽造防止印刷物である。
【００１７】
更に請求項３に記載の発明は、前記Ｈｏ2Ｏ3と顔料もしくは染料等の色材が混合して含有するインキと同色のインキを作製し、基材上に両者を印刷したことを特徴とする請求項２記載の偽造防止印刷物である。
【００１８】
更に請求項６に記載の発明は、請求項４、５記載の印刷物に自然光源と特定波長の光強度が強い光源を照射した際、両者の発色が異なることを利用したことを特徴とする印刷物の偽造防止方法である。
【００１９】
【発明の実施の形態】
以下、本発明の実施の形態によって図面を参照して詳細に説明する。
【００２０】
図１は本発明の偽造防止用インキの代表的な分光波形を示すものであり、具体的にはＨｏ2Ｏ3にフタロシアニンブルーの有色顔料を混合した場合の分光波形のグラフであり、図２は太陽光の各波長における相対エネルギー比率を示したグラフである。図３は本発明の偽造防止印刷物の一実施例を示す平面図であり、図４は真偽判定用ランプの照射光の各波長における相対エネルギー比率を示したグラフであり、図５は図３の偽造防止印刷物に図２および図４の波長分布を持つ光を照射した場合の偽造防止印刷物の見え方の変化をＬ*ａ*ｂ* 表色系の色度図にて示した図である。
【００２１】
表１はＨｏ2Ｏ3に各色顔料を混合したものに図２および図４の波長分布を持つ光を照射した場合の見え方をＬ*ａ*ｂ* 表色系にて数値化した値および光の違いによる色差値を示したものであり、図６は表１の数値をグラフ化したものである。
【００２２】
図３は、本発明の偽造防止印刷物の一実施例を示す平面図であるが、偽造防止印刷物（１）は基材（１１）、偽造防止印刷部（１２）および文字絵柄印刷部（１３）から成り立っている。
【００２３】
基材（１１）としては、紙、プラスチック、木材、ガラスまたは樹脂などが用いられ、偽造防止印刷物（１）の用途に応じてこれらから任意に選択される。
【００２４】
偽造防止印刷部（１２）は、Ｈｏ2Ｏ3を含む材料から構成される。
【００２５】
Ｈｏ2Ｏ3の粒径は、１０〜１０００ｎｍであることが好ましい。この範囲の粒径である場合に、発色が良好でありインキ化し易い。
偽造防止印刷部（１２）を形成するにあたっては、上記材料と、結着剤、分散剤および助剤とを混合した偽造防止用インキを基材（１１）の表面に印刷すればよい。
【００２６】
上記偽造防止用インキは、その結着剤、分散剤および助剤の種類によりオフセット印刷用、グラビア印刷用、スクリーン印刷用等の各印刷方法用のインキにすることができる。また、その印刷方法は、通常のオフセット印刷法、グラビア印刷法、スクリーン印刷法等が可能でとくに限定されない。
【００２７】
偽造防止印刷部（１２）を構成するランタノイド系希土類元素または化合物は、異なる種類の波長の光源の下では、目視上色相が異なる。Ｈｏ2Ｏ3は、太陽光下では人間の目には淡い黄色に見え、３波長発光形蛍光灯、詳しくは波長４５０ｎｍ（青）・５４０ｎｍ（緑）・６１０ｎｍ（赤）の３波長域を発光する光を照射すると人間の目には赤色に見える。
【００２８】
ランタノイド系希土類元素は、４ｆ軌道に電子を持っており、可視領域の狭帯域の波長の光を多く吸収し、その帯域から外れた波長の光をあまり吸収しない。これらの特徴は、ランタノイド系希土類の化合物であっても同様である。
【００２９】
一例として図７にＨｏ2Ｏ3の分光波形を示す。Ｈｏ2Ｏ3は波長４５０ｎｍ、５５０ｎｍ、６５０ｎｍ付近にシャープな吸収帯域を持っている。すなわち、Ｈｏ2Ｏ3は上記の波長域の光を多く吸収する一方、それ以外の波長の光をあまり吸収しない。従って、図２に示すような太陽光のスペクトル波長を照射した場合のＨｏ2Ｏ3の反射光のスペクトルは図７の分光波形とほぼ同様となり淡い黄色に見えるが、図４に示すような４５０ｎｍ、５４０ｎｍ、６１０ｎｍの３波長発光形の蛍光灯をＨｏ2Ｏ3に照射した場合は青の波長である４５０ｎｍの発光と緑の波長である５４０ｎｍの光をＨｏ2Ｏ3が吸収するため、赤の波長である６１０ｎｍの発光のみが反射され赤く見える。
【００３０】
ランタノイド系希土類の化合物は上記のような性質を持っていることより、上記と同様に２種類以上のスペクトル波長の光源を照射することで異なった色となる。
【００３１】
上記顔料はその顔料固有の色素であり、照射する光により起こる色変化は固有であるが、上記顔料に別の有色色素を加えることで、様々な色変化を呈することが可能となる。
【００３２】
有色色素として以下の材料があげられる、赤色顔料としてベンガラ、カドミウム赤、カドミウム水銀赤、モリブデン赤、亜酸化銅、トルイジンレッド、レーキレッドなどがあり、黄色顔料として黄鉛、クロム酸亜鉛、カドミウム黄、チタン黄、バリウム黄、ストロンチウム黄、ハンサイエロー、ベンジジンイエロー、パーマネントイエロー等がある。青色顔料として、紺青、群青、コバルト青、セルリアン青、マンガン青、フタロシアニンブルー、テレネブルーＲＳ等があり、緑色顔料として、クロム緑、酸化クロム緑、ビリジアン、亜鉛緑、コバルト緑、エメラルド緑、フタロシアニングリーン等がある。
【００３３】
例えば、Ｈｏ2Ｏ3に青色顔料であるフタロシアニンブルーをＨｏ2Ｏ3顔料の色が残る程度に量を混合した場合、図２の波長の光と図４の波長の光で見た場合、それぞれ薄青色から紫色に変化した。この色変化を図５に示した。
図５はＬ*ａ*ｂ* 表色系色度図で図２に示した波長を照射した場合（図中のＤ65に相当する）と図４に示した波長を照射した場合（図中のＦ１０に相当する）の色度の変化をＨｏ2Ｏ3およびＨｏ2Ｏ3＋青色顔料を混合した場合について示したものである。
【００３４】
同様にしてＨｏ2Ｏ3に他の有色色素とを混合させることにより様々な色を呈することが可能である。表１にＨｏ2Ｏ3を基本色として各色の有色色素を混合した場合の色変化をＬ*ａ*ｂ* 表色系色度にて示した。
【００３５】
【表１】
0004089114.tif 000002
【００３６】
表中におけるＤ65とは図２に示した波長と同様の光を照射した場合の色度を表し、Ｆ１０とは図４に示した波長と同様の光を照射した場合の色度を示す。またＤ65光源とＦ１０光源における色差を△Ｅとして算出した。同時に表１各有色色素を混合した場合の色度変化を
図７にＬ*ａ*ｂ* 表色系色度図にて示した。
【００３７】
図７より基本色となるＨｏ2Ｏ3に様々な有色色素を混合することで様々な色相を作り出すことができ、またそれらの色も同様に照射する光により色変化が起こることがわかる。
【００３８】
【実施例】
本発明を、具体的な実施例をあげて詳細に説明する。
＜実施例１＞
９０ｋｇベースのＯＣＲ用紙の上にプロセスカラーインキをオフセット印刷法を用いて文字・絵柄を印刷し、次に下記［偽造防止用インキの組成１］からなる偽造防止用インキをスクリーン印刷法にて約１２μｍ、パターン状に印刷して偽造防止印刷物を得た。また比較のため本偽造防止印刷物をカラーコピーした偽造品も作製した。
【００３９】
［偽造防止用インキの組成１］
ＳＳ  ８−８００メジウム  （東洋インキ製造（株）社製）  ５０重量部
Ｈｏ2Ｏ3                                               ３０重量部
Ｓ−７１９溶剤  （東洋インキ製造（株）社製）            １８重量部
ＳＳ  ８  藍    （東洋インキ製造（株）社製）              ２重量部
【００４０】
得られた偽造防止印刷物を太陽光下で見た場合、偽造防止用インキを用いて印刷された偽造防止印刷部は淡青色を呈していたが、図４に示すような波長の光源下で見た場合、紫色に変化するがカラーコピー品は淡青色のまま変化しないことより、容易に真正品を見分けることができた。
【００４１】
【発明の効果】
以上述べたように、本発明は可視領域の狭帯域の波長の光を多く吸収し、その帯域から外れた波長の光をあまり吸収しない、Ｈｏ2Ｏ3に有色顔料及び染料等の色材を混合することにより、異なった分光スペクトル特性を持つ２種類以上の光源下で見たとき異なった色相を呈するインキとなる。
【００４２】
さらに有色顔料及び染料等の色材の配分を変えることで様々な色相を呈する偽造防止用インキとなることより、本発明のインキにて印刷することで、蛍光灯を照射することで真偽判定を行うことができる。
また、複写する際、照明光の光源により複写された色が変化してしますので偽造防止が困難となる。さらに、自然光では同色に見えるインキと本発明のインキを用いて印刷しておくことにより、どの箇所に偽造防止が施されているか判り難いので一層偽造防止効果を高めることができる。
【図面の簡単な説明】
【図１】本発明の偽造防止用インキの代表的な分光波形を示すグラフ。
【図２】太陽光の各波長における相対エネルギー比率を示したグラフ。
【図３】本発明の偽造防止印刷物の一実施例を示す平面図。
【図４】真偽判定用ランプの各波長における相対エネルギー比率を示したグラフ。
【図５】図３の偽造防止印刷物に図２および図４の波長分布を持つ光を照射した場合の偽造防止印刷物の見え方の変化をＬ*ａ*ｂ* 表色系の色度図にて示したグラフ。
【図６】表１の数値をＬ*ａ*ｂ* 表色系の色度図にて示したグラフ。
【図７】Ｈｏ2Ｏ3の分光波形を示すグラフ。
【符号の説明】
１…偽造防止印刷物
１１…基材
１２…偽造防止印刷部
１３…文字絵柄印刷部
【図１】
0004089114.tif 000003
【図２】
0004089114.tif 000004
【図３】
0004089114.tif 000005
【図４】
0004089114.tif 000006
【図５】
0004089114.tif 000007
【図６】
0004089114.tif 000008
【図７】
0004089114.tif 000009